【手続補正書】
【提出日】平成17年5月10日(2005.5.10)
【手続補正１】
【補正対象書類名】明細書
【補正対象項目名】発明の名称
【補正方法】変更
【補正の内容】
【発明の名称】注文受付サーバ装置、その制御方法、そのプログラム及び注文受付システム
【手続補正２】
【補正対象書類名】明細書
【補正対象項目名】特許請求の範囲
【補正方法】変更
【補正の内容】
【特許請求の範囲】
【請求項１】
複数のクライアント端末と通信可能であり、データベースに保持された画像データに対する印刷処理の注文をネットワーク経由で受け付ける注文受付サーバ装置であって、
第１のクライアント端末との通信に基づき、前記画像データに対する印刷処理に関する注文情報を設定する第１の設定手段と、
前記第１のクライアント端末との通信に基づき、前記注文情報の利用を、第２のクライアント端末に対して許可するか否かを設定する第２の設定手段と、
前記注文情報を記憶する記憶手段と、
前記第２の設定手段により許可すると設定された場合に、前記第２のクライアント端末との通信に基づき、前記記憶手段に記憶された注文情報に基づく印刷処理の実行を指示するよう制御する指示制御手段とを有することを特徴とする注文受付サーバ装置。
【請求項２】
前記第２のクライアント端末との通信に基づき、前記記憶手段に記憶された注文情報を使用するか否かを選択する選択手段を更に備え、
前記指示制御手段は、前記注文情報を使用すると選択された場合に、前記実行を指示するよう制御することを特徴とする請求項１記載の注文受付サーバ装置。
【請求項３】
前記注文情報の編集を、前記第２のクライアント端末に対して許可するか否かを設定する第３の設定手段を更に備えることを特徴とする請求項１又は２記載の注文受付サーバ装置。
【請求項４】
前記第１の設定手段により設定される注文情報は、印刷仕上げ、前記画像データのレイアウト、前記画像データのコメントのうち少なくとも１つを含むことを特徴とする請求項１乃至３のいずれか１つに記載の注文受付サーバ装置。
【請求項５】
前記第１のクライアント端末から画像データを受信する受信手段と、
前記受信手段により受信された画像データをデータベースに登録する登録手段を更に備えることを特徴とする請求項１乃至４のいずれか１つに記載の注文受付サーバ装置。
【請求項６】
前記指示制御手段は、前記第１のクライアント端末との通信に基づき、前記第１の設定手段により設定された注文情報に基づく印刷処理の実行を指示するよう制御することを特徴とする請求項１乃至５のいずれか１つに記載の注文受付サーバ装置。
【請求項７】
複数のクライアント端末と通信可能であり、データベースに保持された画像データに対する印刷処理の注文をネットワーク経由で受け付ける注文受付サーバ装置の制御方法であって、
第１のクライアント端末との通信に基づき、前記画像データに対する印刷処理に関する注文情報を設定する第１の設定ステップと、
前記第１のクライアント端末との通信に基づき、前記注文情報の利用を、第２のクライアント端末に対して許可するか否かを設定する第２の設定ステップと、
前記注文情報を記憶する記憶ステップと、
前記第２の設定ステップにおいて許可すると設定された場合に、前記第２のクライアント端末との通信に基づき、前記記憶ステップにおいて記憶された注文情報に基づく印刷処理の実行を指示するよう制御する指示制御ステップとを有することを特徴とする制御方法。
【請求項８】
前記第２のクライアント端末との通信に基づき、前記記憶ステップにおいて記憶された注文情報を使用するか否かを選択する選択ステップを更に備え、
前記指示制御ステップでは、前記注文情報を使用すると選択された場合に、前記実行を指示するよう制御することを特徴とする請求項７記載の制御方法。
【請求項９】
前記注文情報の編集を、前記第２のクライアント端末に対して許可するか否かを設定する第３の設定ステップを更に備えることを特徴とする請求項７又は８記載の制御方法。
【請求項１０】
前記第１の設定ステップにおいて設定される注文情報は、印刷仕上げ、前記画像データのレイアウト、前記画像データのコメントのうち少なくとも１つを含むことを特徴とする請求項７乃至９のいずれか１つに記載の制御方法。
【請求項１１】
前記第１のクライアント端末から画像データを受信する受信ステップと、
前記受信ステップにより受信された画像データをデータベースに登録する登録ステップを更に備えることを特徴とする請求項７乃至１０のいずれか１つに記載の制御方法。
【請求項１２】
前記指示制御ステップでは、前記第１のクライアント端末との通信に基づき、前記第１の設定ステップにおいて設定された注文情報に基づく印刷処理の実行を指示するよう制御することを特徴とする請求項７乃至１１のいずれか１つに記載の制御方法。
【請求項１３】
複数のクライアント端末と通信可能であり、データベースに保持された画像データに対する印刷処理の注文をネットワーク経由で受け付ける注文受付サーバ装置を構成するコンピュータ装置が実行するプログラムであって、
第１のクライアント端末との通信に基づき、前記画像データに対する印刷処理に関する注文情報を設定する第１の設定ステップと、
前記第１のクライアント端末との通信に基づき、前記注文情報の利用を、第２のクライアント端末に対して許可するか否かを設定する第２の設定ステップと、
前記注文情報を記憶する記憶ステップと、
前記第２の設定ステップにおいて許可すると設定された場合に、前記第２のクライアント端末との通信に基づき、前記記憶ステップにおいて記憶された注文情報に基づく印刷処理の実行を指示するよう制御する指示制御ステップとを有することを特徴とするプログラム。
【請求項１４】
前記第２のクライアント端末との通信に基づき、前記記憶ステップにおいて記憶された注文情報を使用するか否かを選択する選択ステップを更に備え、
前記指示制御ステップでは、前記注文情報を使用すると選択された場合に、前記実行を指示するよう制御することを特徴とする請求項１３記載のプログラム。
【請求項１５】
前記注文情報の編集を、第２のクライアント端末に対して許可するか否かを設定する第３の設定ステップを更に備えることを特徴とする請求項１３又は１４記載のプログラム。
【請求項１６】
前記第１の設定ステップにおいて設定される注文情報は、印刷仕上げ、前記画像データのレイアウト、前記画像データのコメントのうち少なくとも１つを含むことを特徴とする請求項１３乃至１５のいずれか１つに記載のプログラム。
【請求項１７】
前記第１のクライアント端末から画像データを受信する受信ステップと、
前記受信ステップにより受信された画像データをデータベースに登録する登録ステップを更に備えることを特徴とする請求項１３乃至１６のいずれか１つに記載のプログラム。
【請求項１８】
前記指示制御ステップでは、前記第１のクライアント端末との通信に基づき、前記前記第１の設定ステップにおいて設定された注文情報に基づく印刷処理の実行を指示するよう制御することを特徴とする請求項１３乃至１７のいずれか１つに記載のプログラム。
【請求項１９】
ネットワークを介して互いに通信可能な、複数のクライアント端末及びデータベースに保持されたデータを管理する注文受付サーバ装置を含む注文受付システムであって、
前記注文受付サーバ装置と第１のクライアント端末との通信に基づき、前記データに対する処理に関する注文情報を設定する第１の設定手段と、
前記注文受付サーバ装置と前記第１のクライアント端末との通信に基づき、前記注文情報の利用を、第２のクライアント端末に対して許可するか否かを設定する第２の設定手段と、
前記注文情報を記憶する記憶手段と、
前記第２の設定手段により許可すると設定された場合に、前記注文受付サーバ装置と前記第２のクライアント端末との通信に基づき、前記記憶手段に記憶された注文情報に基づく処理の実行を指示するよう制御する指示制御手段とを有することを特徴とする注文受付システム。
【手続補正３】
【補正対象書類名】明細書
【補正対象項目名】０００１
【補正方法】変更
【補正の内容】
【０００１】
【発明の属する技術分野】
本発明は、例えば、インターネット等の通信環境において、クライアント端末がサーバ装置によって管理されたデータに対する処理を依頼する技術に関するものである。
【手続補正４】
【補正対象書類名】明細書
【補正対象項目名】０００９
【補正方法】変更
【補正の内容】
【０００９】
本発明は、上記従来技術の問題点を解決するために提案されたものであり、その目的とするところは、利用者が設定したサービスに関わる設定情報を、第三者がサービスを受けるときにも利用できるようにすることにより、利用者の所望の設定情報を第三者に提供することができる注文受付サーバ装置、その制御方法、そのプログラム及び注文受付システムを提供することにある。
【手続補正５】
【補正対象書類名】明細書
【補正対象項目名】００１１
【補正方法】変更
【補正の内容】
【００１１】
【課題を解決するための手段】
上記目的を達成するため、本発明の注文受付サーバ装置は、複数のクライアント端末と通信可能であり、データベースに保持された画像データに対する印刷処理の注文をネットワーク経由で受け付ける注文受付サーバ装置であって、第１のクライアント端末との通信に基づき、前記画像データに対する印刷処理に関する注文情報を設定する第１の設定手段と、前記第１のクライアント端末との通信に基づき、前記注文情報の利用を、第２のクライアント端末に対して許可するか否かを設定する第２の設定手段と、前記注文情報を記憶する記憶手段と、前記第２の設定手段により許可すると設定された場合に、前記第２のクライアント端末との通信に基づき、前記記憶手段に記憶された注文情報に基づく印刷処理の実行を指示するよう制御する指示制御手段とを有することを特徴とする。
【手続補正６】
【補正対象書類名】明細書
【補正対象項目名】００１２
【補正方法】変更
【補正の内容】
【００１２】
ここで、前記第２のクライアント端末との通信に基づき、前記記憶手段に記憶された注文情報を使用するか否かを選択する選択手段を更に備え、前記指示制御手段は、前記注文情報を使用すると選択された場合に、前記実行を指示するよう制御する。また、前記注文情報の編集を、前記第２のクライアント端末に対して許可するか否かを設定する第３の設定手段を更に備える。また、前記第１の設定手段により設定される注文情報は、印刷仕上げ、前記画像データのレイアウト、前記画像データのコメントのうち少なくとも１つを含む。また、前記第１のクライアント端末から画像データを受信する受信手段と、前記受信手段により受信された画像データをデータベースに登録する登録手段を更に備える。また、前記指示制御手段は、前記第１のクライアント端末との通信に基づき、前記第１の設定手段により設定された注文情報に基づく印刷処理の実行を指示するよう制御する。
【手続補正７】
【補正対象書類名】明細書
【補正対象項目名】００１３
【補正方法】変更
【補正の内容】
【００１３】
又、本発明の制御方法は、複数のクライアント端末と通信可能であり、データベースに保持された画像データに対する印刷処理の注文をネットワーク経由で受け付ける注文受付サーバ装置の制御方法であって、第１のクライアント端末との通信に基づき、前記画像データに対する印刷処理に関する注文情報を設定する第１の設定ステップと、前記第１のクライアント端末との通信に基づき、前記注文情報の利用を、第２のクライアント端末に対して許可するか否かを設定する第２の設定ステップと、前記注文情報を記憶する記憶ステップと、前記第２の設定ステップにおいて許可すると設定された場合に、前記第２のクライアント端末との通信に基づき、前記記憶ステップにおいて記憶された注文情報に基づく印刷処理の実行を指示するよう制御する指示制御ステップとを有することを特徴とする。
【手続補正８】
【補正対象書類名】明細書
【補正対象項目名】００１４
【補正方法】変更
【補正の内容】
【００１４】
ここで、前記第２のクライアント端末との通信に基づき、前記記憶ステップにおいて記憶された注文情報を使用するか否かを選択する選択ステップを更に備え、前記指示制御ステップでは、前記注文情報を使用すると選択された場合に、前記実行を指示するよう制御する。また、前記注文情報の編集を、前記第２のクライアント端末に対して許可するか否かを設定する第３の設定ステップを更に備える。また、前記第１の設定ステップにおいて設定される注文情報は、印刷仕上げ、前記画像データのレイアウト、前記画像データのコメントのうち少なくとも１つを含む。また、前記第１のクライアント端末から画像データを受信する受信ステップと、前記受信ステップにより受信された画像データをデータベースに登録する登録ステップを更に備える。また、前記指示制御ステップでは、前記第１のクライアント端末との通信に基づき、前記第１の設定ステップにおいて設定された注文情報に基づく印刷処理の実行を指示するよう制御する。
【手続補正９】
【補正対象書類名】明細書
【補正対象項目名】００１５
【補正方法】変更
【補正の内容】
【００１５】
又、本発明のプログラムは、複数のクライアント端末と通信可能であり、データベースに保持された画像データに対する印刷処理の注文をネットワーク経由で受け付ける注文受付サーバ装置を構成するコンピュータ装置が実行するプログラムであって、第１のクライアント端末との通信に基づき、前記画像データに対する印刷処理に関する注文情報を設定する第１の設定ステップと、前記第１のクライアント端末との通信に基づき、前記注文情報の利用を、第２のクライアント端末に対して許可するか否かを設定する第２の設定ステップと、前記注文情報を記憶する記憶ステップと、前記第２の設定ステップにおいて許可すると設定された場合に、前記第２のクライアント端末との通信に基づき、前記記憶ステップにおいて記憶された注文情報に基づく印刷処理の実行を指示するよう制御する指示制御ステップとを有することを特徴とする。
【手続補正１０】
【補正対象書類名】明細書
【補正対象項目名】００１６
【補正方法】変更
【補正の内容】
【００１６】
ここで、前記第２のクライアント端末との通信に基づき、前記記憶ステップにおいて記憶された注文情報を使用するか否かを選択する選択ステップを更に備え、前記指示制御ステップでは、前記注文情報を使用すると選択された場合に、前記実行を指示するよう制御する。また、前記注文情報の編集を、第２のクライアント端末に対して許可するか否かを設定する第３の設定ステップを更に備える。また、前記第１の設定ステップにおいて設定される注文情報は、印刷仕上げ、前記画像データのレイアウト、前記画像データのコメントのうち少なくとも１つを含む。また、前記第１のクライアント端末から画像データを受信する受信ステップと、前記受信ステップにより受信された画像データをデータベースに登録する登録ステップを更に備える。また、前記指示制御ステップでは、前記第１のクライアント端末との通信に基づき、前記前記第１の設定ステップにおいて設定された注文情報に基づく印刷処理の実行を指示するよう制御する。
【手続補正１１】
【補正対象書類名】明細書
【補正対象項目名】００１７
【補正方法】変更
【補正の内容】
【００１７】
又、本発明の注文受付システムは、ネットワークを介して互いに通信可能な、複数のクライアント端末及びデータベースに保持されたデータを管理する注文受付サーバ装置を含む注文受付システムであって、前記注文受付サーバ装置と第１のクライアント端末との通信に基づき、前記データに対する処理に関する注文情報を設定する第１の設定手段と、前記注文受付サーバ装置と前記第１のクライアント端末との通信に基づき、前記注文情報の利用を、第２のクライアント端末に対して許可するか否かを設定する第２の設定手段と、前記注文情報を記憶する記憶手段と、前記第２の設定手段により許可すると設定された場合に、前記注文受付サーバ装置と前記第２のクライアント端末との通信に基づき、前記記憶手段に記憶された注文情報に基づく処理の実行を指示するよう制御する指示制御手段とを有することを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００８６
【補正方法】変更
【補正の内容】
【００８６】
【発明の効果】
以上説明したように、本発明によれば、利用者が設定したサービスに関わる設定情報を、第三者がサービスを受けるときにも利用できる。また、利用者の所望の設定情報を第三者に提供することができる。